(57)【特許請求の範囲】
【請求項１】
断熱性能を有する箱本体と、温度帯の異なる貯蔵室を形成するように前記箱本体を上下に仕切る仕切体と、前記仕切体で区画された貯蔵室の開口部をそれぞれ開閉可能とする扉と、少なくとも一方の前記貯蔵室内への熱侵入を抑制する仕切体の構造によって形成される抑制部とを備えたもので、前記抑制部は、前記仕切体の前面に配置された金属製の当接部材の近傍で前記仕切体の幅方向全体に亘って設けられ、前記仕切体の両側面部に周縁部が凸形状をした開口部を備え、前記開口部を内箱に設けられた挿入穴に差込み固定され、外箱と内箱との間に発泡断熱材が充填される際に前記開口部から前記抑制部内に発泡断熱材が充填されるとともに、前記抑制部から奥側に向かって空気孔を形成し、前記空気孔は断熱材収納空間に連通する冷蔵庫。
【請求項２】
前記仕切体は、上仕切板と下仕切板と、前記上仕切板と下仕切板とを上下方向に固定する上下嵌合部とを備える請求項１に記載の冷蔵庫。
【請求項３】
前記仕切体は、上仕切板と下仕切板と、前記上仕切板と下仕切板とを前後方向に固定する前後嵌合部とを備える請求項１に記載の冷蔵庫。
【請求項４】
前記仕切体は、内方の空間と外方とを連通する空気孔を備える請求項１から３のいずれか一項に記載の冷蔵庫。
【請求項５】
前記仕切体は、前記空気孔の周辺に余剰発泡断熱材を収納する断熱材収納空間を備える請求項４に記載の冷蔵庫。
【発明の詳細な説明】
【技術分野】
【０００１】
本発明は省エネ効果の高い冷蔵庫の構造に関するものである。
【背景技術】
【０００２】
図１８は従来の冷蔵庫の冷凍室の基本構造の断面図である。
【０００３】
図１８に示すように、扉１１の内面の端部には全周にわたりガスケット１２が設けられており、ガスケット１２の受け面を形成する仕切体１３前面に構成されている金属製の当接部材１４とガスケット１２を密着させて冷気が外部に漏れるのを防止している。
【０００４】
本体の背部に設置した冷却器１５で生成した冷気をファン１６によって冷凍室２５の背面の吐出口１７から庫内に吹き出し、収納されている食品類を冷却するように構成されている。
【０００５】
そして、食品類を冷却した冷気は、矢印に示すように、収納ケース１８、１９の前方上部に至り、扉１１の内壁と収納ケース１８、１９の前面との空間、さらに収納ケース１９の底面と貯蔵室底壁との空間を通ってリターンダクト２１から冷却器１５に戻る循環をおこなっている。
【０００６】
また、収納ケース１８の前方上部に至った冷気によって冷凍室２５と上部貯蔵室２２との仕切体１３前面が冷却され、内外の温度差により仕切体１３前面に結露することを防止するために、放熱パイプ２３を配設している。この放熱パイプ２３は冷凍サイクル（図示せず）における高温冷媒パイプを利用しており、その熱によって仕切体１３前面を高温に加温していることから、結露を防止する反面、冷凍室１２の前部上方空気を加熱してしまい冷却効率を低下させていた。
【０００７】
これを防止するために、仕切体１３近傍の収納ケース１８の上方空間部分に二点鎖線で示すシール部材２４を設け、ガスケット１２側への冷気流れを遮蔽する機構が提案されている（例えば、特許文献１参照）。
【先行技術文献】
【特許文献】
【０００８】
【特許文献１】特開平１０−９６５８４号公報
【発明の概要】
【発明が解決しようとする課題】
【０００９】
しかしながら、上記従来の構成では、貯蔵室内の冷気が加熱された金属製の当接部材と熱交換して加温されてしまうのを防止するために仕切体にシール部材を設けて収納ケースと当接して金属製の当接部材への冷気流れを遮蔽しているが、シール部材の経年劣化などによりシール性が悪化した場合には冷気を遮蔽できなくなり、高温の金属製の当接部材と熱交換して冷気を加温させてしまい、冷却効率が低下するという問題があった。さらに、シール部材の追加によるコストや組立工数が増加してしまうという問題があった。
【課題を解決するための手段】
【００１０】
上記従来の課題を解決するために、本発明の冷蔵庫は、断熱性能を有する箱本体と、温度帯の異なる貯蔵室を形成するように前記箱本体を上下に仕切る仕切体と、前記仕切体で
区画された貯蔵室の開口部をそれぞれ開閉可能とする扉と、少なくとも一方の前記貯蔵室内への熱侵入を抑制する仕切体の構造によって形成される抑制部とを備えたもので、前記抑制部は、前記仕切体の前面に配置された金属製の当接部材の近傍で前記仕切体の幅方向全体に亘って設けられ、前記仕切体の両側面部に周縁部が凸形状をした開口部を備え、前記開口部を内箱に設けられた挿入穴に差込み固定され、外箱と内箱との間に発泡断熱材が充填される際に前記開口部から前記抑制部内に発泡断熱材が充填されるとともに、前記抑制部から奥側に向かって空気孔を形成し、前記空気孔は断熱材収納空間に連通することを特徴とする。
【発明の効果】
【００１１】
本発明の冷蔵庫は、箱本体を上下に仕切る仕切体の構造により形成される抑制部により、外部からの熱侵入や、貯蔵室間の熱交換を抑制し、冷却効率を向上させ、消費電力量を低減した冷蔵庫を提供できる。
【図面の簡単な説明】
【００１２】
【図１】本発明の実施の形態１における冷蔵庫の縦断面図
【図２】本発明の実施の形態１における冷蔵庫の冷凍室断面図
【図３Ａ】本発明の実施の形態１における冷蔵庫の要部拡大断面図
【図３Ｂ】本発明の実施の形態１における冷蔵庫の要部拡大断面図
【図４】本発明の実施の形態１における冷蔵庫の仕切体拡大図
【図５】本発明の実施の形態１における冷蔵庫の仕切体分解図
【図６】本発明の実施の形態１における冷蔵庫の断面詳細図
【図７】本発明の実施の形態１における冷蔵庫の仕切体分解図
【図８】本発明の実施の形態１における冷蔵庫の上仕切板詳細図
【図９】本発明の実施の形態１における冷蔵庫の下仕切板詳細図
【図１０】本発明の実施の形態２における冷蔵庫の要部拡大断面図
【図１１】本発明の実施の形態３における冷蔵庫の要部拡大断面図
【図１２】本発明の実施の形態４における冷蔵庫の断面拡大図
【図１３】本発明の実施の形態４における冷蔵庫の斜視図
【図１４】本発明の実施の形態５における冷蔵庫の断面拡大図
【図１５】本発明の実施の形態６における冷蔵庫の要部拡大断面図
【図１６】本発明の実施の形態６における冷蔵庫の要部分解図
【図１７】本発明の実施の形態７における冷蔵庫の要部拡大断面図
【図１８】従来の冷蔵庫の冷凍室断面図
【発明を実施するための形態】
【００１３】
第１の発明は、断熱性能を有する箱本体と、温度帯の異なる貯蔵室を形成するように前記箱本体を上下に仕切る仕切体と、前記仕切体で区画された貯蔵室の開口部をそれぞれ開閉可能とする扉と、少なくとも一方の前記貯蔵室内への熱侵入を抑制する仕切体の構造によって形成される抑制部とを備えたもので、前記抑制部は、前記仕切体の前面に配置された金属製の当接部材の近傍で前記仕切体の幅方向全体に亘って設けられ、前記仕切体の両側面部に周縁部が凸形状をした開口部を備え、前記開口部を内箱に設けられた挿入穴に差込み固定され、外箱と内箱との間に発泡断熱材が充填される際に前記開口部から前記抑制部内に発泡断熱材が充填されるとともに、前記抑制部から奥側に向かって空気孔を形成し、前記空気孔は断熱材収納空間に連通することを特徴としている。
【００１４】
これにより、庫外からの熱侵入や、異なる温度帯の貯蔵室間の熱交換を、抑制することができ、消費電力量を低減した冷蔵庫を提供することができる。
【００１９】
第２の発明は、第１の発明において、前記仕切体は、上仕切板と下仕切板と、前記上仕切板と下仕切板とを上下方向に固定する上下嵌合部とを備えるものである。
【００２０】
これにより、空間を構成する部材の組立て後における上下の勘合を確保することができ、断熱性能の確保、および外観品位の向上を図ることができる。
【００２１】
第３の発明は、第１の発明において、前記仕切体は、上仕切板と下仕切板と、前記上仕切板と下仕切板とを前後方向に固定する前後嵌合部とを備えるものである。
【００２２】
これにより、空間を構成する部材の組立て後における前後の勘合を確保することができ、断熱性能の確保、および外観品位の向上を図ることができる。
【００２５】
第４の発明は、第１から第３のいずれかの発明において、前記仕切体は、内方の空間と外方とを連通する空気孔を備えるものである。
【００２６】
これにより、前記空間に流入される発泡断熱材の流動性が確保されるため、空間内全体に確実に発泡断熱材を充填することができ、省エネ効果の高い冷蔵庫の量産対応を、安定して行うことを可能とし、製品ごとのバラツキを抑制することができる。
【００２７】
第５の発明は、第４の発明において、前記仕切体は、前記空気孔の周辺に余剰発泡断熱材を収納する断熱材収納空間を備えるものである。
【００２８】
これにより、外観から見え難い場所へ積極的に溢れ出た発泡断熱材を流し込むことにより、外観側や貯蔵室内に発泡断熱材が漏れ出すことによる外観品位の劣化を抑制することができる。
【００４３】
以下、本発明の実施の形態について、図面を参照しながら説明するが、従来例または先に説明した実施の形態と同一構成については同一符号を付して、その詳細な説明は省略する場合がある。なお、この実施の形態によってこの発明が限定されるものではない。
【００４４】
（実施の形態１）
図１は、本発明の実施の形態１における冷蔵庫の縦断面図であり、図２は、本発明の実施の形態１における冷蔵庫の冷凍室の縦断面図であり、図３Ａおよび図３Ｂは、本発明の実施の形態１における冷蔵庫の要部を拡大して示す縦断面図であり、図４は、本発明の実施の形態１における冷蔵庫の仕切体を示す斜示図であり、図５は、本発明の実施の形態１における冷蔵庫の仕切体を分解して示す斜示図であり、図６は、本発明の実施の形態１における冷蔵庫の断面詳細図であり、図７は、本発明の実施の形態１における冷蔵庫の仕切体を分解して示す斜示図であり、図８は、本発明の実施の形態１における冷蔵庫の上仕切板の詳細を示す斜示図であり、図９は、本発明の実施の形態１における冷蔵庫の下仕切板の詳細を示す斜示図である。
【００４５】
図１に示すように、冷蔵庫１００の箱本体１０１は、主に鋼板を用いた外箱１０２とＡＢＳなどの樹脂で成型された内箱１０３とで構成され、外箱１０２と内箱１０３との間には例えば硬質発泡ウレタンなどの発泡断熱材が充填されている。冷蔵庫１００は、主として箱本体１０１により周囲と断熱されている。箱本体１０１は、複数の貯蔵室に区分されている。箱本体１０１の最上部には貯蔵室としての冷蔵室１０４、その冷蔵室１０４の下部に貯蔵室としての野菜室１０５、そして最下部に貯蔵室としての冷凍室１０６が配置されている。
【００４６】
各貯蔵室の前面開口部は、扉１１７、扉１１８、扉１１９によって開閉可能に閉塞されている。
【００４７】
冷蔵室１０４は、冷蔵保存のために凍らない温度を下限に設定されており、通常１℃〜５℃の範囲で設定される。野菜室１０５は、冷蔵室１０４と同等もしくは若干高い温度に設定されており、通常２℃〜７℃の範囲で設定される。冷凍室１０６は、冷凍保存のために冷凍温度帯に設定されており、通常−２２℃〜−１５℃の範囲で設定される。なお、冷凍室１０６は、冷凍保存状態の向上のために、例えば−３０℃や−２５℃の低温で設定されることもある。また、野菜室１０５は、冷凍室に温度帯を切り替えることも可能であり、−１８℃まで設定されるが、これ以降本説明においては野菜室として説明を行う。
【００４８】
箱本体１０１の最下部の冷凍室１０６後方領域には機械室１０７が設けられている。機械室１０７には、圧縮機１０８、水分除去を行うドライヤ（図示せず）等の冷凍サイクルの高圧側構成部品が収容されている。
【００４９】
図２に示すように、冷凍室１０６の背面には冷気を生成する冷却室１０９が設けられている。冷凍室１０６と冷却室１０９との間には、断熱性を有する奥面仕切壁１１０が設けられている。奥面仕切壁１１０は、各室への冷気の搬送風路を形成し、各室と断熱区画するためのものである。冷却室１０９内には、冷却器１１１が配設されている。冷却器１１１の上部空間には強制対流方式により冷却器１１１で冷却した冷気を冷蔵室１０４、野菜室１０５、冷凍室１０６に送風する冷却ファン１１２が配置されている。冷却器１１１の下部空間には冷却時に冷却器１１１やその周辺に付着する霜や氷を除霜するためのガラス管製のラジアントヒータ１１３が設けられている。さらにラジアントヒータ１１３の下部には除霜時に生じる除霜水を受けとめ庫外に排水するための排水受け皿１１４が設けられ、その下流側の庫外に蒸発皿１１６が設けられている。
【００５０】
奥面仕切壁１１０には冷却器１１１で生成された冷気を冷却ファン１１２によって冷凍室１０６へと導くために吐出口１１５と、冷凍室１０６内を循環した冷気を冷却器１１１へ戻すための吸込口１１７とが設けられている。
【００５１】
また、冷凍室１０６内には食品類を貯蔵する収納ケース１２６が配置されている。収納ケース１２６は、引き出しと共に引き出されるものとなっている。
【００５２】
図３Ａに示すように、扉１１９の内面の端部には全周にわたりガスケット１２１が設けられている（冷蔵室１０４、野菜室１０５においても同様）。ガスケット１２１は、仕切体１２２の前面に設けられた金属製の当接部材１２３と密着することにより冷凍室１０６や野菜室１０５内方の冷気が外部に漏れるのを防止している。ここで、仕切体１２２は、野菜室１０５と冷凍室１０６とを上下に区切る部材である樹脂で形成されている。
【００５３】
さらに、仕切体１２２は、当接部材１２３の近傍（本実施の形態の場合、下方）に抑制部１２４を形成している。抑制部１２４は、当接部材１２３が野菜室１０５や冷凍室１０６の内方空間と直接接触させないための仕切体１２２の部分であり、熱伝導により野菜室１０５や冷凍室１０６の温度が上昇することを抑制している。このように熱侵入を抑制する抑制部の中で、抑制部１２４は物体すなわち固体同士が当接することによって発生する熱伝導を抑制する熱伝導抑制部である。
【００５４】
また、仕切体１２２の当接部材１２３の背面と接触する部分には放熱パイプ１３１が配設されている。放熱パイプ１３１は、仕切体１２２の前方部分、すなわち、当接部材１２３が結露することを防止するため管体であり、放熱パイプ１３１は、冷凍サイクル（図示せず）における高温冷媒が内方を流通するものとなっている。従って、高温冷媒との熱交換によって当接部材１２３を加温し結露の発生を抑止している。
【００５５】
図４、図５に示すように、抑制部１２４は、当接部材１２３の下方であって仕切体１２
２の幅方向全体にわたって設けられている。また、抑制部１２４の幅方向の両端部には開口部１２８が設けられている。開口部１２８は幅方向外向きに突出した突起形状となっており、内箱１０３の両側壁に対応する部分に設けられた挿入穴１２７に差し込まれるものとなっている。以上の様に開口部１２８を箱本体１０１に挿入することにより、仕切体１２２の前部が箱本体１０１に固定される。
【００５６】
図６に示すように、当接部材１２３の裏面に配設された放熱パイプ１３１の庫内側には断熱部材１３４が配置されている。断熱部材１３４は、放熱パイプ１３１から仕切体１２２を介して庫内へ熱が侵入することを抑制している。さらに、当接部材１２３の下部に設けられた抑制部１２４に発泡断熱材１３０が充填されている。これにより、抑制部１２４の断熱効率を向上させ当接部材１２３から直接庫内へ熱が侵入することを抑制している。
【００５７】
また、仕切体１２２は、抑制部１２４内方と外方とを連通する空気孔１３２を開口部１２８以外に備えることにより、仕切体１２２の側面の開口部１２８を介して充填される発泡断熱材１３０の流動性を向上させ、抑制部１２４内全体に確実に発泡断熱材１３０を充填させ、断熱性を確保することができる。空気孔１３２は、抑制部１２４から冷蔵庫１００の奥側に向かって設けられており、仕切体１２２はさらに、空気孔１３２の奥側に発泡断熱材収納空間１３３を備えたことにより、外観側や貯蔵室内側へ発泡断熱材１３０が溢れ出すことを抑制している。
【００５８】
図７に示すように、仕切体１２２は、上仕切板１３５と下仕切板１３６とを備え、上仕切板１３５と下仕切板１３６とを上下に組み合わせることにより形成される。また、抑制部１２４も上仕切板１３５と下仕切板１３６によって構成される。仕切体１２２は、上仕切板１３５と下仕切板１３６の間に断熱部材１３７を挟み配設することで、上下の異なる温度帯である貯蔵室の熱交換を抑制している。
【００５９】
図８、図９に示すように、上仕切板１３５は凸部１４０を備え、下仕切板１３６に備えた凹部１４２と勘合させることで、上下仕切板の前後方向の位置規制が行われている。凸部１４０と凹部１４２との嵌合により、外観品位の確保及び発泡断熱材の流出抑制が図られている。また、上仕切板１３５に設けられた爪部１４１と、下仕切板１３６に設けた凹部１４３と勘合させることで、上下仕切板の上下方向の位置規制が行われ、外観品位の確保及び発泡断熱材の流出抑制を図っている。
【００６０】
以上のように構成された冷蔵庫について、以下その動作、作用を説明する。
【００６１】
まず、冷凍室１０６内の冷気の流れについて説明する。冷却器１１１により冷却された冷気は、モータの回転に伴い回転する冷却ファン１１２により強制的に吐出口１１５から冷凍室１０６内の上段、中段、下段へとそれぞれ吹き出される。吹き出された冷気は、収納ケース１２６に吹きつけられて収納されている食品類を冷却する。食品類を冷却した冷気は、矢印に示すように、収納ケース１２６と内箱底壁との空隙を通って吸込口１１７より吸い込まれて、冷却器１１１に戻ってくる風路構成になっている。
【００６２】
上記のように、冷気は冷凍室１０６内を循環する際に、壁面など比較的高温の部分と熱交換を行うことで加温される。放熱パイプ１３１によって加温された当接部材１２３は冷気に対して高温であるが、当接部材１２３の下部に抑制部１２４を設けていることにより、当接部材１２３と冷気とが直接接することが回避されている。これによって、冷気の加温が抑制でき、冷却効率を向上させ、その結果消費電力量を低減することができる。
【００６３】
また、冷気の加温を抑制できることにより、冷気が低い温度のまま循環するため冷凍室１０６内全体の温度分布を均一に保つことができる。
【００６４】
また、当接部材１２３の下部に抑制部１２４を設けたことで、ガスケット１２１と冷気との接触を低減することができ、ガスケット１２１を介した熱交換を抑制することができる。さらに、ガスケット１２１は、当接部材１２３に接触するため比較的高温となるが冷気との接触が抑制されているため、熱交換抑制効果をさらに向上させることができる。この効果を発揮するには、当接部材１２３と仕切体前面部１２２ａの前後方向の段差は５ｍｍ以下であることが望ましい。前記段差が大きくなると、ガスケット１２１の柔軟性では、ガスケット１２１と仕切体前面部１２２ａ間の隙を塞ぐことが困難となり、熱交換抑制効果が減少する。
【００６５】
上記の効果により、当接部材１２３と冷気が熱交換することで当接部材１２３が冷却され、内外の急激な温度差により当接部材１２３の庫外と接する面に結露することを防止することもできる。
【００６６】
また、当接部材１２３の下部に設けられ抑制部１２４に断熱効率の高い発泡断熱材１３０を充填することで、放熱パイプから冷気と接する面への熱交換をさらに抑制することができる。
【００６７】
仕切体１２２は上仕切板１３５と下仕切板１３６と、その上下仕切体の間に断熱部材１３７を挟み組立てることで構成する。
【００６８】
仕切体１２２は、抑制部１２４部の両側面部に周縁部が凸形状をした開口部１２８を備えており、この凸形状をした開口部１２８を内箱１０３に設けられた挿入穴１２７に差込み固定される。凸形状した開口部１２８を仕切体１２２が備えることにより、内箱１０３から外箱１０２方向へ開口部１２８を突き出すことができるため、抑制部１２４の内方に発泡断熱材１３０を充填しやすくなる。このため、抑制部１２４内の発泡断熱材１３０の充填性を向上させることができる。また、凸形状した開口部１２８と挿入穴１２７の隙は１ｍｍ以下とすることで、開口部１２８から流入される発泡断熱材１３０が冷蔵庫の貯蔵室内に漏れ出し、庫内の品位を損ねることを抑制する。この凸形状をした開口部１２８を挿入穴１２７に固定することよって、仕切体１２２と内箱１０３との前後の位置関係が決まるため、仕切体１２２の前後位置規制を行うこともできる。
【００６９】
抑制部１２４の両端の開口部１２８から注入される発泡断熱材１３０は、密閉空間では流動し難いという特性があるため、抑制部１２４の中央に空間内の空気を逃がすための空気孔１３２を備えることで、抑制部１２４内に発泡断熱材１３０を確実に充填することが可能となる。
【００７０】
本実施の形態では、空気孔１３２を中央一ヶ所としたが、発泡断熱材１３０の流動状態によって中央以外の場所や、複数箇所に設けてもよい。抑制部１２４に充填される発泡断熱材１３０は、抑制部１２４内に存在する隙間から外部へ漏れ出そうとするため、空気孔１３２からも漏れ出す可能性が高い。そこで空気孔の貯蔵室側に、漏れ出した発泡断熱材１３０を収納できる発泡断熱材収納空間１３３を備えることで、抑制部１２４の体積以上に流入してきた発泡断熱材１３０を積極的に発泡断熱材収納空間１３３に流入させることで、発泡断熱材１３０が外観側や貯蔵室側に漏れ出して外観品位を劣化させることを抑制する。
【００７１】
また、外箱１０２と内箱１０３との間に発泡断熱材１３０を充填する工程において抑制部１２４にも充填することで、工数削減や部品点数削減を行うことをできる。
【００７２】
また、抑制部１２４を構成する上仕切板１３５と下仕切板１３６に、それぞれを勘合さ
せるために上仕切板１３５には凸部１４０と爪部１４１を、下仕切板には凹部１４２、１４３を設けた。これは、本仕様においては部品点数を増やさず、材料使用量を最小限に抑制するために、抑制部１２４を上仕切板１３５と下仕切板１３６のみで構成したことにより、上下仕切板の組立て時に抑制部１２４内に発生する部品間の隙を抑制するためのものである。
【００７３】
上仕切板に設けた凸部１４０と下仕切板に設けた凹部１４２を勘合させることで、抑制部１２４内に発泡断熱材１３０を充填した際の発泡圧によって上下仕切板が押し出され、それにより２部品間に隙が発生することを抑制すると共に、外観側の仕切体前面部１２２ａが変形し金属製の当接部材１２３より前側に押し出されることを抑制し、変形により外観品位を損ねることを抑制する。さらに、上仕切板に設けた爪部１４１と下仕切板に設けた凹部１４３を勘合させることで、前述と同様に抑制部１２４を構成する上下仕切板の部品間に隙が発生することを抑制し、下方へ発泡圧により変形することを抑制している。
【００７４】
さらに、抑制部１２４を構成する上下仕切板の発泡圧による変形において、部品による強度向上を図ると共に、発泡冶具によって抑制部１２４構成する仕切体１２２を前方から押さえ、さらに可動冶具によって下方からも押さえる。これにより、発泡圧が及ぼす発泡断熱材１３０が外観側へ漏れ出すことや抑制部１２４を構成する仕切体１２２が変形することを抑制し、外観品位を確保することができる。
【００７５】
本発明における抑制部１２４を構成する仕切体１２２の外観側である仕切体前面部１２２ａの外観形状を長方形とすることにより、当接部材１２３や内箱１０３等の周辺部品との一体感を持たせた。これは扉１１９を開けた状態において、仕切体周辺が露出された際に、外観品位を損ねることなく、また、扉を閉じた後の熱交換抑制効果を発揮するためである。なお、仕切体前面部１２２ａの外観計上は、長方形が最も美しく見えると考えたが、周辺部品の形状等により湾曲形状等の長方形以外の形状が全体として一体感を持ち、見栄えが良くなるのであれば、他の形状で構成することも考え得る。
【００７６】
また、仕切体１２２内の上下仕切板で断熱部材１３７を挟んで組立てるとしたが、断熱部材１３７の代わりに発泡断熱材を充填することにより断熱効果を得ることも構わない。
【００７７】
以上のように、本実施の形態に係る冷蔵庫１００は、仕切体１２２を用いて箱本体１０１の内方を冷気が供給される複数の貯蔵室に上下に分けている。各々の貯蔵室の前面に開閉可能な扉を備えている。扉に仕切体１２２の扉側前面に構成される金属製の当接部材１２３に密着するガスケット１２１を備えている。
【００７８】
当該冷蔵庫１００において、当接部材１２３およびガスケット１２１を加熱する構成を備えるとともに、貯蔵室内の冷気と当接部材１２３との熱交換を抑制する抑制部１２４を設けている。抑制部１２４により、当接部材１２３と貯蔵室との間に断熱材を配置することができるため、放熱パイプ１３１により高温となった当接部材１２３と冷気とが接する面への熱移動が、熱伝導率の低い断熱材を介するため低減され、冷気と接する面の温度上昇を防止することができ、熱交換を抑制することができる。これによって、冷気の加温が抑制でき、冷却効率を向上させ、その結果消費電力量を低減することができる。
【００７９】
なお、抑制部１２４は、図３Ａに示すように、当接部材１２３の上方、および、下方のいずれか一方に配置されるばかりでなく、図３Ｂに示すように、当接部材１２３の上方、および、下方に配置してもかまわない。
【００８０】
（実施の形態２）
図１０は、本発明の実施の形態２における冷蔵庫の要部拡大断面図である。
【００８１】
なお、実施の形態１と同様の構成または同様の技術思想が適用できる部分については、説明を省略するが、実施の形態１の構成に本実施の形態を組み合わせて実施することで不具合がない限り組み合わせて適用することが可能である。
【００８２】
図１０で示すように、扉１１９の内面の周縁部には全周にわたりガスケット１２１が設けられている（冷蔵室１０４、野菜室１０５においても同様）。仕切体１２２は、樹脂で構成されており、野菜室１０５と冷凍室１０６とを上下に区切る部材である。また仕切体１２２の前面に金属製の当接部材１２３が設けられており、当接部材１２３とガスケット１２１とが密着することにより貯蔵室を密閉している。
【００８３】
また、当接部材１２３の背部には放熱パイプ１３１が配設されている。
【００８４】
さらに、当接部材１２３の下方には仕切体１２２によって構成された抑制部１２４が仕切体１２２によって形成されている。本実施の形態の場合、抑制部１２４の奥側は開放状態となっており、抑制部１２４の内部空間と仕切体１２２の内部空間とは繋がっている。そして、この一体となった２つの内部空間内に断熱部材１３７が組み込まれ固定されている。
【００８５】
以上のように構成された冷蔵庫について、以下その動作・作用を説明する。なお、実施の形態１と同様である動作・作用についての説明は省略する。
【００８６】
仕切体１２２内に配置される断熱部材１３７を当接部材１２３の下部に設けられた抑制部１２４の内部空間まで一体としたことにより、部品点数の削減や工数の削減を行うことができる。また、抑制部１２４と仕切体１２２との境界がなくなり、隙の発生が抑制されるため、上下の異なる温度帯の貯蔵室の熱交換を抑制することができる。
【００８７】
なお、本実施の形態では、断熱部材１３７を組み込むものとしたが、断熱部材１３７の代わりに発泡断熱材を抑制部１２４を含む仕切体１２２の内部空間に充填しても構わない。このとき、内箱１０３に設けられた穴から仕切体１２２に設けられた穴（図示せず）を通じて、内部の空間に発泡断熱材が充填される。
【００８８】
以上のように、本実施の形態においては、実施の形態１における作用効果にくわえ、抑制部１２４の内部空間と仕切体１２２の内部空間とを一体化し、一体となった内部空間に断熱部材１３７を組み込み、または、発泡断熱材を充填することにより、部品点数の削減と工数の削減を行うことができ、また、断熱部品の一体化により部品間に発生する隙を低減することができるので、上下貯蔵室の熱交換を抑制することができ、消費電力量を低減することができる。
【００８９】
（実施の形態３）
図１１は、本発明の実施の形態３における冷蔵庫の要部拡大断面図である。
【００９０】
なお、実施の形態１または２と同様の構成または同様の技術思想が適用できる部分については、説明を省略するが、上記実施の形態の構成に本実施の形態を組み合わせて実施することで不具合がない限り組み合わせて適用することが可能である。
【００９１】
図１１で示すように、冷蔵庫１００は、扉１１９の内面の端部には全周にわたりガスケット１２１を備えている（冷蔵室１０４、野菜室１０５においても同様）。冷蔵庫１００は、野菜室１０５と冷凍室１０６とを区切る断熱仕切体部１５０を備えている。断熱仕切体部１５０は、内箱１０３と一体に形成されている。断熱仕切体部１５０と扉１１９との
間には温度帯の異なる貯蔵室を形成する、すなわち、異なる温度帯の貯蔵室間の冷気の直接的な流通を阻止する仕切体１２２が設けられている。仕切体１２２は、前面に金属製の当接部材１２３が密着状態で設けられている。
【００９２】
また、当接部材１２３の背面には貯蔵室外側面に結露することを防止するための放熱パイプ１３１が配設されている。この放熱パイプ１３１は冷凍サイクル（図示せず）における高温冷媒パイプを利用しており、その熱によって当接部材１２３を高温に加温している。
【００９３】
以上のように構成された冷蔵庫について、以下その動作・作用を説明する。なお、実施の形態１または２と同様である動作・作用についての説明は省略する。
【００９４】
異なる温度帯の貯蔵室を主として仕切る部材を、内箱１０３で形成し、内部に発泡断熱材を充填した断熱仕切体部１５０で構成することにより、箱本体１０１と断熱仕切体部１５０には境界なく発泡断熱材を充填することができる。このため、断熱効果に優れており、特に、断熱仕切体部１５０で仕切る貯蔵室の温度帯が大幅に異なる場合に適している。また、真空成型にて形成された内箱１０３と一体に断熱仕切体部１５０が形成されるため、材料使用量の抑制を行うことができる。
【００９５】
また、貯蔵室手前部のみを仕切体１２２で構成することにより、箱本体１０１の発泡後に抑制部１２４と共に、放熱パイプ１３１を背面に備えた当接部材１２３の取り付けが可能となることで、組立て作業性の向上を行うことができる。
【００９６】
貯蔵室手前部のみに構成された仕切体１２２は、断熱仕切体部１５０とビス等により固定される。このとき、部品間に隙が発生する場合もあり、シール部材を仕切体１２２と断熱仕切体部１５０との間に取り付けることにより、その隙から冷気が循環することを抑制することができる。
【００９７】
以上のように、本実施の形態においては、仕切体１２２と断熱仕切体部１５０を用いて、異なる温度体の貯蔵室を仕切ることにより、貯蔵室内の冷気と当接部材１２３との熱交換を抑制する効果と、断熱仕切体部１５０の高い断熱効果の両方の効果を得られることにより、消費電力量を低減することができる。
【００９８】
なお、上記実施の形態１〜実施の形態３において、抑制部１２４は、当接部材１２３の下方に配置されているが、抑制部１２４は、当接部材１２３の上方に配置してもかまわない、また、当接部材１２３の上方および下方の両方に抑制部１２４を設けてもかまわない。
【００９９】
（実施の形態４）
図１２は、本発明の実施の形態４における冷蔵庫の断面拡大図であり、図１３は、本発明の実施の形態４における冷蔵庫の斜視図である。
【０１００】
なお、実施の形態１から３と同様の構成または同様の技術思想が適用できる部分については、説明を省略するが、上記実施の形態の構成に本実施の形態を組み合わせて実施することで不具合がない限り組み合わせて適用することが可能である。
【０１０１】
図１２、図１３で示すように、仕切体１２２は、上仕切板１３５と下仕切板１３６とを備え、さらに断熱部材１３７を備えている。
【０１０２】
上仕切板１３５は、内箱１０３との取付け部に平作間である第一の抑制部１６０と第二
の抑制部１６１とを形成するためのリブ１６２を備えている。第一の抑制部１６０は、仕切体１２２の両側面と背面に設けられている。第二の抑制部１６１は、リブ１６２によって第一の抑制部１６０とは異なる閉鎖空間として存在している。第三の抑制部１６３は、内箱１０３の凹形状の部分と仕切体１２２とにより形成さる閉鎖空間を形成している。第二の抑制部１６１、第三の抑制部１６３は、第一の抑制部１６０と同様に仕切体１２２の両側面と背面に設けられている。
【０１０３】
仕切体１２２の内方と箱本体１０１の内方とは、仕切体１２２と内箱１０３とが接触する面に対応する内箱１０３に設けられた内箱孔１６４により連通しており、箱本体１０１の内方に発泡断熱材を充填する際に、内箱孔１６４を介して仕切体１２２の内方に発泡断熱材が流入し充填される。この内箱孔１６４は仕切体１２２に対して、両側面および背面に複数設けている。連通空間１６５は、仕切体１２２と内箱１０３との接合部の側面もしくは背面側に位置する内箱１０３に穴を開けた空間である。
【０１０４】
また、第一の抑制部１６０、第二の抑制部１６１、第三の抑制部１６３は、下仕切板１３６の内箱１０３の間にも上仕切板１３５と同様に設けられており、熱侵入を抑制する抑制部の中でも気体の移動によって発生する熱伝達を主に抑制する熱伝達抑制部である。
【０１０５】
以上のように構成された冷蔵庫について、以下その動作・作用を説明する。なお、実施の形態１から３と同様である動作・作用についての説明は省略する。
【０１０６】
異なる温度帯で存在する上下の貯蔵室を仕切体１２２によって断熱状態で仕切り、それぞれの貯蔵室内方の温度の安定を図っている。しかし、仕切体１２２と内箱１０３との間である取付部には部品同士のわずかな隙が発生する。この隙を通って、上下の貯蔵室の間で冷気が漏れることにより、仕切体１２２の断熱効果を発揮することが困難となる。また、場合によっては、冷気漏れによる着霜が発生する等の品質問題となる可能性もある。
【０１０７】
本発明では、仕切体１２２の取付け部と内箱１０３間に空気の対流がない空間である第一の抑制部１６０を設けることにより、仕切体１２２と内箱１０３との間に発生する隙を上下に通る冷気を抑制すると共に、熱伝達の抑制も図ることが可能となる。また、第一の抑制部１６０とは別の第二の抑制部１６１を第一の抑制部１６０よりも外箱１０２側に配置することにより、冷気の流通を抑止する複数の空間を備えることができ熱伝達抑制効果を向上させることができる。第一の抑制部１６０や第二の抑制部１６１は上仕切板１３５のリブ１６２によって構成される。
【０１０８】
さらに、第三の抑制部１６３は内箱１０３の凹み形状により、仕切体１２２と内箱１０３の間に空間を形成し、さらに熱伝達の抑制を図ることができる。このように本実施の形態では、仕切体１２２の上側および下側には第一の抑制部１６０および第二の抑制部とそれぞれ二重構造で備え、さらに背面側に第三の抑制部１６３を背面側に備えていることで、一方の貯蔵室側だけで三重構造の抑制部を備えていることで熱伝達を確実に抑制している。
【０１０９】
仕切体１２２と内箱１０３間との接合部の側面と背面側に位置する内箱１０３に内箱孔１６４を開けた連通空間１６５は、内箱孔１６４より発泡断熱材１３０を充填することにより、密閉性の向上を図れるため省エネ効果を向上させることができる。
【０１１０】
（実施の形態５）
図１４は、本発明の実施の形態５における冷蔵庫の断面拡大図である。
【０１１１】
なお、実施の形態１から４と同様の構成または同様の技術思想が適用できる部分につい
ては、説明を省略するが、上記実施の形態の構成に本実施の形態を組み合わせて実施することで不具合がない限り組み合わせて適用することが可能である。
【０１１２】
図１４で示すように、仕切体１２２は、上仕切板１３５と下仕切板１３６との間の断熱部材１３７によって構成されている。上仕切板１３５は、内箱１０３との取付け部に熱伝達抑制部である第二の抑制部１６１を備えている。第二の抑制部１６１は上仕切板１３５と内箱１０３との間に構成されている。仕切体１２２と内箱１０３との取付け部分の内箱１０３に内箱凸部１６６を設けており、上仕切板１３５との隙を部分的に小さくしている。また、上仕切板１３５の貯蔵室内側には熱伝達抑制部と熱伝導抑制部の両方の機能を有する第四の抑制部１６７が形成されている。内箱凸部１６６は、仕切体１２２の両側面と背面に設けられており、第五の抑制部１６８と第六の抑制部１６９とを凸部１６６で分割している。また、第四の抑制部１６７は仕切体の構造のみで略密閉されており、内箱１０３と面接触している接触部１６７ａを有している。
【０１１３】
また、第二の抑制部１６１や、第四の抑制部１６７、第五の抑制部１６８、第六の抑制部１６９、内箱凸部は、下仕切板１３６の内箱１０３の間にも上仕切板１３５と同様に設けられている。
【０１１４】
以上のように構成された冷蔵庫について、以下その動作・作用を説明する。なお、実施の形態１から４と同様である動作・作用についての説明は省略する。
【０１１５】
仕切体１２２の取付け部と内箱１０３間に空気の対流がない空間である密閉第二の抑制部１６１を設けることにより、隙を通る冷気を抑制すると共に、熱伝達の抑制を図ることができる。この取り付け部に内箱１０３に形成された凸形状を仕切体の両側面と背面に設けることにより、取付け部の隙を詰めることができ冷気の流動を遮ることができる。第四の抑制部１６７は上仕切板１３５によって形成されており、この第四の抑制部１６７は、仕切体１２２と内箱１０３の接触部によって構成された第二の抑制部１６１とは完全に別空間であり、貯蔵室内とは完全に遮断されているため、空気の対流がない空間であり、熱伝達の抑制効果を向上させることができる。
【０１１６】
また、第四の抑制部１６７は、内箱１０３と面接触している接触部１６７ａを有していて貯蔵室側にそなえられているので、例えば内箱１０３のウレタン発泡を伴う内箱成型形状のバラツキによって前後方向または左右方向にずれた場合であっても、内部空間は空気の対流がないので冷気の移動を抑制することができ、また上下方向にずれた場合であっても第四の抑制部１６７の内部への冷気侵入がないため、熱伝達を抑制することができる。
【０１１７】
また、第五の抑制部１６８、第六の抑制部１６９は内箱の凸部１６６で分割されていることで、ウレタン発泡を伴う内箱成型形状時の発泡圧力によって凸部１６６が仕切体１２２に押圧されて形成されるので、より第五の抑制部１６８と第六の抑制部１６９の密閉性を高めることができ、熱伝達を抑制することができる。
【０１１８】
なお、本実施の形態では、第四の抑制部１６７の内部は、閉鎖空間であり、空洞としているが、内部に断熱材を入れても良く、その場合には、さらに第四の抑制部１６７の断熱性が上がるので、熱伝導抑制部としての機能が向上することは言うまでもない。
【０１１９】
（実施の形態６）
図１５は、本発明の実施の形態６における冷蔵庫の要部拡大断面図であり、図１６は、本発明の実施の形態６における冷蔵庫の要部分解図である。
【０１２０】
なお、実施の形態１から５と同様の構成または同様の技術思想が適用できる部分につい
ては、説明を省略するが、上記実施の形態の構成に本実施の形態を組み合わせて実施することで不具合がない限り組み合わせて適用することが可能である。
【０１２１】
図１５で示すように、扉１１９の内面の端部には全周にわたりガスケット１２１が設けられている。ガスケット１２１は、冷蔵室１０４と野菜室１０５とを区切る仕切体１２２の前面に設けられた当接部材１２３と密着するものとなっている。
【０１２２】
また、当接部材１２３には貯蔵室外側面に結露することを防止するために、放熱パイプ１３１が配設されている。この放熱パイプ１３１は冷凍サイクル（図示せず）における高温冷媒パイプを利用しており、その熱によって当接部材１２３を高温に加温している。
【０１２３】
さらに、当接部材１２３の下部に設けた抑制部１２４は、仕切体１２２とは別部材である取付式抑制部１７０によって構成されている。抑制部１２４は、箱本体１０１への発泡断熱材の充填後に取付式抑制部１７０がビスや爪勘合によって仕切体１２２に固着されることにより形成される。
【０１２４】
以上のように構成された冷蔵庫について、以下その動作・作用を説明する。なお、実施の形態１と同様である動作・作用についての説明は省略する。
【０１２５】
当接部材１２３の下部に設けた抑制部１２４は、仕切体１２２とは別部材である取付式抑制部１７０によって構成されたことにより、外形や庫内レイアウトが同様であるが温度帯や価格は異なる複数の機種に対して、本部材の有無による熱伝導抑制構造の有無選択を容易に行うことができ、同一の筐体で多様なニーズに対応することができ、また発泡冶具の兼用化による発泡冶具数の削減を行うことができる。
【０１２６】
また、取付式抑制部１７０によって構成された抑制部１２４内に粘着固定により装着された断熱部材１７１を備えることにより、当接部材１２３からの熱侵入抑制効果をさらに向上させることができる。
【０１２７】
本実施の形態における野菜室１０５は、温度設定を変えることによりマイナス温度まで下降させることができるため、取付式抑制部１７０は仕切体１２２を挟んだ上下の貯蔵室に対して、温度の低い側である野菜室１０５側に装着することによって、熱侵入抑制をより効果的に行うことができる。また、仕切体１２２の下部に取付式抑制部１７０を固着することにより、取付式抑制部１７０を取り外した場合に見えるビス穴や爪形状等を、目線からは見え難い仕切体１２２の下面側に存在させることができ、取付式抑制部１７０を装備しない機種の外観品位を確保することもできる。
【０１２８】
よって、冷蔵庫の複数の機種に取り付ける場合でも、必要な機種にのみ後から取り付けることができ、汎用性が高く、広範囲に利用することが可能である。
【０１２９】
（実施の形態７）
図１７は、本発明の実施の形態７における冷蔵庫の要部拡大断面図である。
【０１３０】
なお、実施の形態１から６と同様の構成または同様の技術思想が適用できる部分については、説明を省略するが、上記実施の形態の構成に本実施の形態を組み合わせて実施することで不具合がない限り組み合わせて適用することが可能である。
【０１３１】
図に示すように、実施の形態６同様に、抑制部１２４は、当接部材１２３の下側に仕切体１２２とは別部材である下部取付式抑制部１７０ａによって構成されており、さらに、当接部材１２３の上側に仕切体１２２とは別部材である上部取付式抑制部１７０ｂによっ
て構成されている。それぞれの取付式抑制部１７０ａ、１７０ｂは箱本体１０１への発泡断熱材の充填後にビスや爪勘合によって仕切体１２２に固着される。また、上下の取付式抑制部１７０ａ、１７０ｂに断熱部材１７１ａと断熱部材１７１ｂとをそれぞれに装着してもよい。
【０１３２】
以上のように構成された冷蔵庫について、以下その動作・作用を説明する。なお、実施の形態６と同様である動作・作用についての説明は省略する。
【０１３３】
取付式抑制部を当接部材１２３に上下両側に備えたことにより、上下どちらか片側のみの場合に比べ、当接部材１２３からの熱侵入抑制効果をより向上されることができる。
【産業上の利用可能性】
【０１３４】
以上のように、本発明にかかる冷蔵庫は、家庭用又は業務用冷蔵庫もしくは野菜専用庫に対しても適用できる。
【符号の説明】
【０１３５】
１００  冷蔵庫
１０１  箱本体
１１７，１１８，１１９  扉
１２１  ガスケット
１２２  仕切体
１２３  当接部材
１２４  抑制部
１２６  収納ケース
１３０  発泡断熱材
１３２  空気孔
１３３  発泡断熱材収納空間
１３５  上仕切板
１３６  下仕切板
１５０  断熱仕切体部
１６０  第一の抑制部（抑制部）
１６１  第二の抑制部（抑制部）
１６３  第三の抑制部（抑制部）
１６７  第四の抑制部（抑制部）
１６８  第五の抑制部（抑制部）
１６９  第六の抑制部（抑制部）
１７０  取付式抑制部（抑制部）
【図１】
0005870235.tif 000002
【図２】
0005870235.tif 000003
【図３Ａ】
0005870235.tif 000004
【図３Ｂ】
0005870235.tif 000005
【図４】
0005870235.tif 000006
【図５】
0005870235.tif 000007
【図６】
0005870235.tif 000008
【図７】
0005870235.tif 000009
【図８】
0005870235.tif 000010
【図９】
0005870235.tif 000011
【図１０】
0005870235.tif 000012
【図１１】
0005870235.tif 000013
【図１２】
0005870235.tif 000014
【図１３】
0005870235.tif 000015
【図１４】
0005870235.tif 000016
【図１５】
0005870235.tif 000017
【図１６】
0005870235.tif 000018
【図１７】
0005870235.tif 000019
【図１８】
0005870235.tif 000020